(57)【要約】  空気調和機の室外機は、圧縮機（１０）と、熱交換器（１２）と、制御装置（２）と、を備えている。制御装置は、圧縮機を駆動させる圧縮機駆動回路（２５）と、圧縮機駆動回路の高調波を抑制する高調波抑制手段（２７）と、圧縮機駆動回路と高調波抑制手段を収納する箱体（２０）と、を有している。箱体は、外部と内部とを連通させる通気孔が形成された第１区画部（Ａ）と、第１区画部とは別枠の第２区画部（Ｂ）と、に区画されている。第１区画部には、高調波抑制手段と、第１区画部内の空気を通気孔を通じて外部へ送風するファン（４）が配置されている。第２区画部には、圧縮機駆動回路が配置されている。
2020100273.tif 000002
【特許請求の範囲】
【請求項１】
圧縮機と、熱交換器と、制御装置と、を備えた空気調和機の室外機であって、  前記制御装置は、  前記圧縮機を駆動させる圧縮機駆動回路と、  前記圧縮機駆動回路の高調波を抑制する高調波抑制手段と、  前記圧縮機駆動回路と前記高調波抑制手段を収納する箱体と、を有し、  前記箱体は、外部と内部とを連通させる通気孔が形成された第１区画部と、前記第１区画部とは別枠の第２区画部と、に区画されており、  前記第１区画部には、前記高調波抑制手段と、前記第１区画部内の空気を前記通気孔を通じて外部へ送風するファンが配置され、  前記第２区画部には、前記圧縮機駆動回路が配置されている、空気調和機の室外機。
【請求項２】
前記第１区画部には、前記第１区画部内の温度を検知する温度検知手段が設けられており、  前記制御装置は、前記温度検知手段の検知値が目標値であるか否かの判断に基づいて、前記ファンを駆動させ又は停止させる、請求項１に記載の空気調和機の室外機。
【請求項３】
前記制御装置は、前記温度検知手段の検知値に基づいて、前記ファンを制御し、前記箱体の外部と内部とを流通する空気の流れ方向を変更させる、請求項２に記載の空気調和機の室外機。
【請求項４】
前記箱体は、前記通気孔が形成された前記第１区画部が金属板で構成され、  前記第１区画部には、前記高調波抑制手段に電力を供給する導電線が前記通気孔を有する側壁に当接させて配置されている、請求項１〜３のいずれか一項に記載の空気調和機の室外機。
【請求項５】
前記第１区画部には、前記通気孔から前記高調波抑制手段を配置した位置にかけて風路を漸次小さくさせる風路形成部材が設けられている、請求項１〜４のいずれか一項に記載の空気調和機の室外機。
【請求項６】
前記箱体は、前記第１区画部を形成する第１箱体と、前記第２区画部を形成する第２箱体と、を有し、  前記第２箱体は、正面板と、前記正面板よりも高さ方向の長さが長い左右の側面板及び背面板と、天面板と、前記正面板の下端に配置され、前記第１区画部と前記第２区画部を仕切る仕切り部材と、を有しており、  前記正面板、左右の前記側面板、前記背面板、前記天面板及び前記仕切り部材とで囲まれた空間が前記第２区画部とされ、  前記第２区画部の下方において、左右の前記側面板、前記背面板及び前記仕切り部材で囲まれ、正面が開放された空間が収容空間とされており、  前記第１箱体は、前記収容空間に配置されている、請求項１〜５のいずれか一項に記載の空気調和機の室外機。
【請求項７】
前記第１箱体は、左右の前記側面板のうち、一方の側面板に寄った位置に配置されており、吸入側の前記通気孔が他方の側面板に対向させて形成されている、請求項６に記載の空気調和機の室外機。
【請求項８】
前記箱体の上面には、変圧器が載置されている、請求項１〜７のいずれか一項に記載の空気調和機の室外機。
【請求項９】
前記変圧器は、防水加工が施されたケーシングの内部に収納されており、  前記ケーシングは、前記箱体の上面に設けられた固定部材を介して固定されている、請求項８に記載の空気調和機の室外機。
【請求項１０】
前記変圧器は、前記熱交換器に囲まれた空間内に配置されている、請求項８又は９に記載の空気調和機の室外機。
【発明の詳細な説明】
【技術分野】
【０００１】  本発明は、高調波抑制手段を備えた空気調和機の室外機に関するものである。
【背景技術】
【０００２】  従来、空気調和機の室外機は、例えば特許文献１に開示されているように、外郭を形成する筐体の内部に、圧縮機及び送風機と共に、該圧縮機及び送風機等を制御する制御装置が設けられた構成が知られている。制御装置は、電気部品及び電子部品が実装された制御基板を箱体の内部に収納した構成である。
【先行技術文献】
【特許文献】
【０００３】
【特許文献１】特開２００６−３１７０９９号公報
【発明の概要】
【発明が解決しようとする課題】
【０００４】  空気調和機の室外機では、電源ノイズを低減するために、リアクトル等の高調波抑制手段を制御装置に設けた構成が知られている。高調波抑制手段は、他の電気部品及び電子部品と共に、箱体の同一の区画内に配置されている。そのため、空気調和機の室外機では、高調波抑制手段の温度が過剰に上昇すると、電気部品及び電子部品の性能及び製品寿命が劣化する問題があった。【０００５】  本発明は、上記のような課題を解決するためになされたものであり、高調波抑制手段の温度が過剰に上昇しても、電気部品及び電子部品の性能及び製品寿命の劣化を抑制することができる空気調和機の室外機を提供することを目的とする。
【課題を解決するための手段】
【０００６】  本発明に係る空気調和機の室外機は、圧縮機と、熱交換器と、制御装置と、を備えた空気調和機の室外機であって、前記制御装置は、前記圧縮機を駆動させる圧縮機駆動回路と、前記圧縮機駆動回路の高調波を抑制する高調波抑制手段と、前記圧縮機駆動回路と前記高調波抑制手段を収納する箱体と、を有し、前記箱体は、外部と内部とを連通させる通気孔が形成された第１区画部と、前記第１区画部とは別枠の第２区画部と、に区画されており、前記第１区画部には、前記高調波抑制手段と、前記第１区画部内の空気を前記通気孔を通じて外部へ送風するファンが配置され、前記第２区画部には、前記圧縮機駆動回路が配置されているものである。
【発明の効果】
【０００７】  本発明によれば、電気部品及び電子部品を収納する箱体を第１区画部と第２区画部とに区画し、温度上昇の影響によって性能及び製品寿命の劣化が大きい圧縮機駆動回路等の電気部品及び電子部品を第２区画部に配置しているので、第１区画部に配置した高調波抑制手段から隔離させることができ、制御装置の電気部品及び電子部品の性能及び製品寿命の劣化を抑制することができる。
【図面の簡単な説明】
【０００８】
【図１】本発明の実施の形態１における空気調和機の回路構成図である。
【図２】本発明の実施の形態１に係る空気調和機の室外機の外観斜視図である。
【図３】本発明の実施の形態１に係る空気調和機の室外機の内部構成図である。
【図４】本発明の実施の形態１に係る空気調和機の室外機の制御装置のブロック図である。
【図５】本発明の実施の形態１に係る空気調和機の室外機の制御装置の斜視図である。
【図６】本発明の実施の形態１に係る空気調和機の室外機の制御装置を概略的に示した内部構成図である。
【図７】本発明の実施の形態１に係る空気調和機の室外機のファンの制御方法を示した説明図である。
【図８】本発明の実施の形態１に係る空気調和機の室外機の変形例を概略的に示した内部構成図である。
【図９】本発明の実施の形態２に係る空気調和機の室外機の制御装置を示した斜視図である。
【図１０】本発明の実施の形態２に係る空気調和機の室外機の内部構成図である。
【発明を実施するための形態】
【０００９】  以下、図面を参照して、本発明の実施の形態について説明する。なお、各図中、同一又は相当する部分には、同一符号を付して、その説明を適宜省略又は簡略化する。また、各図に記載の構成について、その形状、大きさ及び配置等は、本発明の範囲内で適宜変更することができる。
【００１０】  実施の形態１．  図１は、本発明の実施の形態１における空気調和機の回路構成図である。図１に示すように、実施の形態１に係る空気調和機３００の室外機１００は、室内の空調を行う室内機２００と共に、空気調和機３００を構成するものである。空気調和機３００は、圧縮機１０と、流路切換手段１１と、室外熱交換器１２と、膨張機構１３と、室内熱交換器１４と、アキュムレータ１５と、を冷媒配管１６で接続して冷媒を循環させる冷媒回路を有している。
【００１１】  圧縮機１０は、吸入した冷媒を圧縮し、高温高圧の状態にして吐出するものである。圧縮機１０は、一例として、運転容量（周波数）を可変できる構成であり、インバータにより制御されるモータによって駆動される容積式圧縮機である。
【００１２】  流路切換手段１１は、一例として四方弁であり、冷媒の流路を切り換える機能を有するものである。流路切換手段１１は、冷房運転時において、圧縮機１０の冷媒吐出側と室外熱交換器１２のガス側とを接続すると共に、圧縮機１０の冷媒吸入側と室内熱交換器１４のガス側とを接続するように冷媒流路を切り換える。一方、流路切換手段１１は、暖房運転時において、圧縮機１０の冷媒吐出側と室内熱交換器１４のガス側とを接続すると共に、圧縮機１０の冷媒吸入側と室外熱交換器１２のガス側とを接続するように冷媒流路を切り換える。なお、流路切換手段１１は、二方弁又は三方弁を組み合わせて構成してもよい。
【００１３】  室外熱交換器１２は、例えば伝熱管と多数のフィンとを含んで構成されたフィンアンドチューブ型熱交換器である。室外熱交換器１２は、圧縮機１０から吐出されて室外熱交換器１２に供給された冷媒と、室外送風機１７の送風によって室外熱交換器１２を通過する空気とを熱交換させて、冷媒を冷却させる。室外熱交換器１２は、冷房運転時には凝縮器として機能して冷媒を液化し、暖房運転時には蒸発器として機能して冷媒を気化させる構成である。
【００１４】  膨張機構１３は、冷媒回路内を流れる冷媒を減圧して膨張させるものであり、一例として開度が可変に制御される電子膨張弁で構成される。
【００１５】  室内熱交換器１４は、冷房運転時には蒸発器として機能し、膨張機構１３から流出した冷媒と空気との間で熱交換を行わせるものである。また、室内熱交換器１４は、暖房運転時には凝縮器として機能し、圧縮機１０から吐出された冷媒と空気との間で熱交換を行わせるものである。室内熱交換器１４は、室内送風機によって室内空気を吸い込み、冷媒との間で熱交換した空気を室内に供給する。アキュムレータ１５は、圧縮機１０の吸入側に設けられており、冷媒回路を循環する過剰な冷媒を貯留するものである。
【００１６】  次に、図１を参照しつつ、図２〜図７に基づいて、空気調和機３００の室外機１００の構造を説明する。図２は、本発明の実施の形態１に係る空気調和機の室外機の外観斜視図である。図３は、本発明の実施の形態１に係る空気調和機の室外機の内部構成図である。図４は、本発明の実施の形態１に係る空気調和機の室外機の制御装置のブロック図である。図５は、本発明の実施の形態１に係る空気調和機の室外機の制御装置の斜視図である。図６は、本発明の実施の形態１に係る空気調和機の室外機の制御装置を概略的に示した内部構成図である。図７は、本発明の実施の形態１に係る空気調和機の室外機のファンの制御方法を示した説明図である。
【００１７】  空気調和機３００の室外機１００は、図１〜図３に示すように、外郭を形成する矩形状の筐体１の内部に、圧縮機１０と、流路切換手段１１と、室外熱交換器１２と、膨張機構１３と、室外送風機１７と、制御装置２と、が収納された構成である。
【００１８】  図２に示すように、筐体１は、底面に設けられた底板１ａの隅部から上方に向かって延びるフレーム材１ｂを備えている。筐体１は、フレーム材１ｂで囲まれた上方側の外周面に、筐体１内に空気を取り込むための空気吸込口１ｃが形成され、空気吸込口１ｃに沿って室外熱交換器１２が配置されている。室外熱交換器１２は、筐体１の内部に設けられた支持台によって筐体１の内部上方に支持されている。なお、室外熱交換器１２が形成する空間は、四方が熱交換器によって囲まれてなる、いわゆる四面熱交換器の構造となっている。
【００１９】  また、図２及び図３に示すように、筐体１の上面には、空気吹出口１ｄが形成されており、空気吹出口１ｄの直下位置に室外送風機１７が配備されている。室外送風機１７は、例えばプロペラファン等で構成され、送風機モータによって駆動される。この室外送風機１７の駆動により、空気吸込口１ｃから筐体１内に吸い込まれた空気が、室外熱交換器１２を通過して冷媒と熱交換したのち室外送風機１７を経て空気吹出口１ｄから排気されるようになっている。
【００２０】  図２に示すように、筐体１は、フレーム材１ｂで囲まれた下方側の外周面に、意匠板金である側面パネル１ｅが設けられており、下方側の外周面が側面パネル１ｅで塞がれている。なお、図２では、一部の側面パネル１ｅを取り外して制御装置２を露出させた状態を示しているが、当該部分にも側面パネル１ｅが設けられる。側面パネル１ｅは、左右の側縁部がフレーム材１ｂにネジ等の締結部材で固定され、下縁部が底板１ａにネジ等の締結部材で固定されている。図３に示すように、室外熱交換器１２の下方である筐体１の内部下方には、例えば圧縮機１０、アキュムレータ１５、制御装置２等の構成部品が設置されている。すなわち、室外熱交換器１２と他の構成部品とは、それぞれ別の空間に配置されている。室外機１００は、側面パネル１ｅを取り外して内部を開放することで、構成部品のメンテナンスなどが可能となる。
【００２１】  制御装置２は、ＡＣ電源３を入力して圧縮機１０及び室外送風機１７を駆動制御するものである。図２及び図３に示すように、制御装置２は、電気部品及び電子部品が実装された制御基板を箱体２０の内部に収納した構成である。具体的には、図４に示すように、制御装置２は、ノイズフィルタ２１と、ＡＣ−ＤＣコンバータ２２と、電源回路２３と、室外機コントローラ２４と、圧縮機駆動回路２５と、送風機駆動回路２６と、高調波抑制手段２７と、を有している。
【００２２】  圧縮機駆動回路２５は、室外機コントローラ２４の指令値に応じた出力周波数及び出力電圧の電源を圧縮機１０に出力する圧縮機用インバータ２５ａと、圧縮機用インバータ２５ａを駆動させるＩＰＭ駆動回路２５ｂと、を備えている。圧縮機用インバータ２５ａは、例えば半導体素子であるインテリジェントパワーモジュール（ＩＰＭ）で構成されている。圧縮機用インバータ２５ａとＩＰＭ駆動回路２５ｂとの間には、室外機１００の動作時に圧縮機１０の駆動に伴って発生する高調波を抑制する機能を備えた高調波抑制手段２７が設けられている。高調波抑制手段２７は、例えば直流リアクトル（ＤＣＬ）である。
【００２３】  送風機駆動回路２６は、室外機コントローラ２４の指令値に応じた出力周波数および出力電圧の電源を送風機に出力する送風機用インバータ２６ａと、送風機用インバータ２６ａを駆動させるＩＰＭ駆動回路２６ｂと、を備えている。送風機用インバータ２６ａは、例えば半導体素子であるインテリジェントパワーモジュール（ＩＰＭ）で構成されている。
【００２４】  制御装置２の箱体２０は、一例として金属板で構成されている。図５及び図６に示すように、箱体２０は、外部と内部とを連通させる通気孔２０ｇが形成された第１区画部Ａと、第１区画部Ａとは別枠の第２区画部Ｂと、が金属製の仕切り部材２０ｆによって区画されている。第１区画部Ａは、第２区画部Ｂの下方に配置されている。
【００２５】  具体的には、箱体２０は、第１区画部Ａを形成する第１箱体２０Ａと、第２区画部Ｂを形成する第２箱体２０Ｂと、で構成されている。第２箱体２０Ｂは、正面板２０ａと、正面板２０ａよりも高さ方向の長さが長い左右の側面板２０ｂ、２０ｃ及び背面板２０ｄと、天面板２０ｅと、正面板２０ａの下端に配置され、第１区画部Ａと第２区画部Ｂを仕切る仕切り部材２０ｆと、で構成されている。第２箱体２０Ｂは、正面板２０ａ、左右の側面板２０ｂ及び２０ｃ、背面板２０ｄ、天面板２０ｅ及び仕切り部材２０ｆで囲まれた空間が第２区画部Ｂとされ、第２区画部Ｂの下方において、左右の側面板２０ｂ及び２０ｃ、背面板２０ｄ及び仕切り部材２０ｆで囲まれ、正面が開放された空間が収容空間Ｃとされている。第１箱体２０Ａは、収容空間Ｃに配置されている。
【００２６】  第２区画部Ｂは、外部と内部とを連通させる通気孔を有しておらず、周囲が金属板によって囲まれた構成である。なお、第２区画部Ｂは、外部と内部とを連通させる通気孔を有した構成でもよい。箱体２０は、第１区画部Ａの内部空間と第２区画部Ｂの内部空間とが、例えばブッシング等を用いて雨及び雪が侵入しないように分離され、且つ熱的にも分離された構造である。
【００２７】  図６に示すように、第１箱体２０Ａは、左右の側面板２０ｂ及び２０ｃのうち、一方の側面板２０ｃに寄った位置に配置されており、吸入側の通気孔２０ｇが他方の側面板２０ｂに対向させて形成されている。つまり、第１区画部Ａの排気側の側壁２０ｉと第２箱体２０Ｂの一方の側面板２０ｃとの間に小さな隙間Ｓ１が形成される。また、第１区画部Ａの吸気側の側壁２０ｈと他方の側面板２０ｂとの間に大きな隙間Ｓ２が形成される。第１区画部Ａには、小さな隙間Ｓ１側に高調波抑制手段２７が配置され、大きな隙間Ｓ２側にファン４が配置されている。大きな隙間Ｓ２側には、第２区画部Ｂに配置される電気部品及び電子部品に電流を供給する電線が配置される。ファン４は、第２区画部Ｂの対向する側壁２０ｈ及び２０ｉに形成された通気孔２０ｇを通じて、第１区画部Ａの内部の空気を外部へ送風するものである。ファン４もまた、制御装置２によって駆動制御される。
【００２８】  実施の形態１に係る空気調和機の室外機１００は、風を収容空間Ｃの正面側の開口から回り込ませ、側壁２０ｈに形成された通気孔２０ｇを通じて第１区画部Ａに送り込むことで、粉塵等を第１区画部Ａに吸い込み難くした構造である。第１区画部Ａに風が直線的に吸い込まれると、筐体１内に存在する粉塵等を巻き込みやすくなり、ファン４及び高調波抑制手段２７にダメージを及ぼすおそれがあるからである。なお、大きな隙間Ｓ２側には、電線等の障害物があるため、水又は粉塵等を直接吸い込む事態が少なくて済む。また、第１区画部Ａの側壁２０ｈと箱体２０の一方の側面板２０ｂとの大きな隙間Ｓ２から風を吸い込むようにしているので、風を吸い込み易くなり冷却効率も上げることができる。因みに、第２区画部Ｂは、そのほとんどが金属板に囲まれているので、内部でファン４が駆動しても粉塵等が吸い込まれる事態は少なくて済む。
【００２９】  なお、箱体２０は、図示した構成に限定されず、他の形状でもよい。また、図示することは省略したが、第１区画部Ａは、第２区画部Ｂの上方に配置してもよいし、第２区画部Ｂの左右側方に配置してもよい。また、第１区画部Ａと第２区画部Ｂとを切り離して２つの箱体で構成し、距離をあけて個別に配置してもよい。
【００３０】  第２区画部Ｂには、ノイズフィルタ２１、ＡＣ−ＤＣコンバータ２２、電源回路２３、室外機コントローラ２４、圧縮機駆動回路２５及び送風機駆動回路２６等、その他の構成部材が収納されている。なお、図６では、ノイズフィルタ２１、ＡＣ−ＤＣコンバータ２２、電源回路２３、室外機コントローラ２４、送風機駆動回路２６を省略している。
【００３１】  高調波抑制手段２７は、室外機１００の動作時に、最大１００Ｗ程度の発熱を生じる。室外機１００は、高調波抑制手段２７の過大な発熱による他の構成部品の機能低下を防止するため、ファン４を駆動させ、通気孔２０ｇを通じて第１区画部Ａの内部の空気を外部へ送風する。なお、室外機１００は、第１区画部Ａの内部と外部の温度差が５０℃〜６０℃程度よりも小さくなるように使用する必要がある。一方、室外機１００は、温度上昇の影響によって性能及び製品寿命の劣化が大きい電気部品及び電子部品を、第２区画部Ｂに配置して高調波抑制手段２７から隔離している。
【００３２】  また、図６に示すように、第１区画部Ａには、第１区画部Ａ内の温度を検知する温度検知手段２８が設けられている。温度検知手段２８は、例えばサーミスタで構成されている。制御装置２は、図７に示すように、温度検知手段２８の検知値が目標値Ｔであるか否かの判断に基づいて、ファン４を駆動させ又は停止させる。具体的には、制御装置２は、温度検知手段２８の検知値が目標値Ｔに到達したと判断すると、目標値Ｔを超えている時間だけファン４を駆動させて、第１区画部Ａの内部の空気を外部へ送風する。そして、温度検知手段２８の検知値が目標値Ｔを下回った判断すると、ファン４を停止させる。つまり、実施の形態１に係る空気調和機３００の室外機１００は、例えば日中における外気温度が高く、それに伴って高調波抑制手段２７の温度が上昇した場合にのみ、ファン４を駆動させることで、ファン４の製品寿命を延ばすことができ、且つ省エネ効果も高めることができる。
【００３３】  また、図６に示すように、第１区画部Ａには、高調波抑制手段２７に電力を供給する導電線５が通気孔２０ｇを有する側壁２０ｈに当接させて配置されている。室外機１００は、冬季にファン４の動作によって第１区画部Ａに雪が内部に吸い込まれる事態が想定される。このとき、箱体２０に雪が繰り返し接触することで、通気孔２０ｇを有する側壁２０ｈの温度が徐々に低下し、氷結によって通気孔２０ｇが塞がれるおそれがある。第１区画部Ａは、通気孔２０ｇが塞がれることで、送風を十分に行うことができなくなり、過大に温度が上昇するおそれがある。そこで、通気孔２０ｇを有する側壁２０ｈに導電線５を当接させて配置することで、高調波抑制手段２７からの熱伝導により、例えば７〜８［Ｗ］程度分の温度を上昇させることができる。この熱量により、通気孔２０ｇを有する側壁２０ｈの温度低下を抑制し、氷結によって通気孔２０ｇが塞がれる事態を防止することができる。また、通気孔２０ｇが塞がれることによる第１区画部Ａの過大な温度上昇を抑制でき、これに伴い第２区画部Ｂの内部の温度上昇も抑制できる。
【００３４】  なお、制御装置２は、温度検知手段２８の検知値に基づいて、ファン４を制御し、箱体２０の外部と内部とを流通する空気の流れ方向を、例えば逆向きにする等に変更させてもよい。第１区画部Ａは、例えば粉塵又は氷結によって通気孔２０ｇが塞がれると、ファン４によって内部の空気が外部に十分に送風されず、高温になるおそれがある。そのため、室外機１００では、ファン４を制御して、空気の流れを変更させることにより、粉塵又は氷結で塞がった通気孔２０ｇを元通りにすることができ、第１区画部Ａの温度上昇を抑制することができる。
【００３５】  図８は、本発明の実施の形態１に係る空気調和機の室外機の変形例を概略的に示した内部構成図である。図８に示すように、第１区画部Ａには、吸気側の通気孔２０ｇから高調波抑制手段２７にかけて風路を漸次小さくさせる風路形成部材６が設けられている。風路形成部材６は、例えば金属製の導風板で構成され、高調波抑制手段２７の上方に傾斜させて配置されている。一方の通気孔２０ｇから高調波抑制手段２７にかけて風路を漸次小さくすることで、高調波抑制手段２７を配置した付近における空気の流速を向上させることができ、発熱した高調波抑制手段２７の冷却効果を高めることができる。また、高調波抑制手段２７の熱が風路形成部材６に輻射され、風路形成部材６を通じて箱体２０の側壁２０ｈに熱が伝導する。つまり、この熱量によって、通気孔２０ｇを有する側壁２０ｈの温度低下を抑制し、氷結によって通気孔２０ｇが塞がれる事態を防止することができる。
【００３６】  以上、実施の形態１に係る空気調和機３００の室外機１００は、圧縮機１０と、室外熱交換器１２と、室外送風機１７と、制御装置２と、を備えている。制御装置２は、圧縮機１０を駆動させる圧縮機駆動回路２５と、圧縮機駆動回路２５の高調波を抑制する高調波抑制手段２７と、圧縮機駆動回路２５と高調波抑制手段２７を収納する箱体２０と、を有している。箱体２０は、外部と内部とを連通させる通気孔２０ｇが形成された第１区画部Ａと、第１区画部Ａとは別枠の第２区画部Ｂと、に区画されている。第１区画部Ａには、高調波抑制手段２７と、第１区画部Ａ内の空気を外部に送風するファン４が配置されている。第２区画部Ｂには、温度上昇の影響によって性能及び製品寿命の劣化が大きい電気部品及び電子部品が配置されている。よって、空気調和機３００の室外機１００は、電気部品及び電子部品を収納する箱体２０を第１区画部Ａと第２区画部Ｂとに区画し、温度上昇の影響によって性能及び製品寿命の劣化が大きい圧縮機駆動回路２５等の電気部品及び電子部品を第２区画部Ｂに配置しているので、第１区画部Ａに配置した高調波抑制手段２７から隔離させることができ、制御装置２を構成する電気部品及び電子部品の性能及び製品寿命の劣化を抑制することができる。
【００３７】  第１区画部Ａには、第１区画部Ａ内の温度を検知する温度検知手段２８が設けられている。制御装置２は、温度検知手段２８の検知値が目標値Ｔであるか否かの判断に基づいて、ファン４を駆動させ又は停止させる。よって、実施の形態１に係る空気調和機３００の室外機１００は、例えば日中における外気温度が高く、それに伴って高調波抑制手段２７の温度が上昇した場合にのみ、ファン４を駆動させることで、ファン４の製品寿命を延ばすことができ、且つ省エネ効果も高めることができる。
【００３８】  また、制御装置２は、温度検知手段２８の検知値に基づいて、ファン４を制御し、箱体２０の外部と内部とを流通する空気の流れ方向を例えば逆転するように変更させる。よって、実施の形態１に係る空気調和機３００の室外機１００は、例えば粉塵又は氷結が原因で吸気側の通気孔２０ｇが塞がれても、ファン４を制御して、空気の流れ方向を変更させることにより、通気孔２０ｇを元通りにすることができ、第１区画部Ａ内の温度が上昇する事態を抑制することができる。
【００３９】  また、箱体２０は、通気孔２０ｇが形成された第１区画部Ａが金属板で構成されている。第１区画部Ａには、高調波抑制手段２７に電力を供給する導電線５が通気孔２０ｇを有する側壁２０ｈに当接させて配置されている。よって、空気調和機３００の室外機１００は、高調波抑制手段２７からの熱伝導により、冬季において通気孔２０ｇを有する側壁２０ｈの温度低下を抑制し、氷結によって通気孔２０ｇが塞がれる事態を防止することができる。また、第１区画部Ａの過大な温度上昇を抑制でき、これに伴い第２区画部Ｂの内部の温度上昇も効果的に抑制できる。
【００４０】  また、第１区画部Ａには、通気孔２０ｇから高調波抑制手段２７に配置した位置にかけて風路を漸次小さくさせる風路形成部材６が設けられている。よって、空気調和機３００の室外機１００は、高調波抑制手段２７を配置した付近における空気の流速を向上させることができ、発熱した高調波抑制手段２７の冷却効果を高めることができる。
【００４１】  また、箱体２０は、第１区画部Ａを形成する第１箱体２０Ａと、第２区画部Ｂを形成する第２箱体２０Ｂと、を有している。第２箱体２０Ｂは、正面板２０ａと、正面板２０ａよりも高さ方向の長さが長い左右の側面板２０ｂ、２０ｃ及び背面板２０ｄと、天面板２０ｅと、正面板２０ａの下端に配置され、第１区画部Ａと第２区画部Ｂを仕切る仕切り部材２０ｆと、を有している。正面板２０ａ、左右の側面板２０ｂ及び２０ｃ、背面板２０ｄ、天面板２０ｅ及び仕切り部材２０ｆで囲まれた空間が第２区画部Ｂとされ、第２区画部Ｂの下方において、左右の側面板２０ｂ及び２０ｃ、背面板２０ｄ及び仕切り部材２０ｆで囲まれ、正面が開放された空間が収容空間Ｃとされている。第１箱体２０Ａは、収容空間Ｃに配置されている。よって、空気調和機３００の室外機１００は、簡易な構造で効果的に、温度上昇の影響によって性能及び製品寿命の劣化が大きい電気部品及び電子部品を、高調波抑制手段２７から隔離させることができる。
【００４２】  また、第１箱体２０Ａは、左右の側面板２０ｂ及び２０ｃのうち、一方の側面板２０ｃに寄った位置に配置されており、吸入側の通気孔２０ｇが他方の側面板２０ｂに対向させて形成されている。よって、空気調和機３００の室外機１００は、風を収容空間Ｃの正面側の開口から回り込ませ、側壁２０ｈに形成された通気孔２０ｇを通じて第１区画部Ａに送り込む構造なので、粉塵等を第１区画部Ａに吸い込み難くすることができる。
【００４３】  実施の形態２．  次に、図９及び図１０に基づいて、本発明の実施の形態２に係る空気調和機３００の室外機１００を説明する。図９は、本発明の実施の形態２に係る空気調和機の室外機の制御装置を示した斜視図である。図１０は、本発明の実施の形態２に係る空気調和機の室外機の内部構成図である。なお、実施の形態１で説明した空気調和機３００の室外機１００と同一の構成要素については、同一の符号を付して、その説明を適宜省略する。
【００４４】  実施の形態２における制御装置２は、箱体２０の上面に変圧器７が載置された構成を特徴としている。この空気調和機３００の室外機１００では、設置する場所の電源事情等により、箱体２０の内部に変圧器７を設置できない場合に有効な構成である。
【００４５】  変圧器７は、図４に示すブロック図において、ＡＣ電源３とノイズフィルタ２１との間で分岐し、電源回路に繋がる分岐ライン上に配置されている。分岐ライン上には、例えば室外機１００に設けられる例えば２００Ｖの膨張機構１３を制御するための制御基板が、変圧器７と直列に接続されている。変圧器７は、制御基板の出力電力を変化させる変圧手段である。
【００４６】  変圧器７は、防水加工が施されたケーシング８の内部に、一例として２個を上下に積み重ねて収納されている。ケーシング８は、箱体２０の上面に設けられた固定部材９に固定されている。固定部材９は、例えば鋼板で構成され、ボルト等の接合部材を介してケーシング８に接合されている。つまり、この室外機１００では、変圧器７の設置状態の安定性を高めることができ、且つ雨及び雪に晒されないように変圧器７を保護することができる。なお、固定部材９は、ケーシング８を箱体２０に固定できる構成であればよく、図示した形態に限定されない。
【００４７】  また、図１０に示すように、変圧器７は、少なくとも一部が室外熱交換器１２に囲まれた空間内に配置されることが好ましい。このように、空気が流れる位置に変圧器７を配置することで、発熱した変圧器７を効果的に冷却させることができる。
【００４８】  以上に本発明を実施の形態に基づいて説明したが、本発明は上述した実施の形態の構成に限定されるものではない。例えば、室外機１００は、上述した内容に限定されるものではなく、他の構成要素を含んでもよい。要するに、本発明は、その技術的思想を逸脱しない範囲において、当業者が通常に行う設計変更及び応用のバリエーションの範囲を含むものである。
【符号の説明】
【００４９】  １  筐体、１ａ  底板、１ｂ  フレーム材、１ｃ  空気吸込口、１ｄ  空気吹出口、１ｅ  側面パネル、２  制御装置、３  ＡＣ電源、４  ファン、５  導電線、６  風路形成部材、７  変圧器、８  ケーシング、９  固定部材、１０  圧縮機、１１  流路切換手段、１２  室外熱交換器、１３  膨張機構、１４  室内熱交換器、１５  アキュムレータ、１６  冷媒配管、１７  室外送風機、２０  箱体、２０Ａ  第１箱体、２０Ｂ  第２箱体、２０ａ  正面板、２０ｂ、２０ｃ  側面板、２０ｄ  背面板、２０ｅ  天面板、２０ｆ  仕切り部材、２０ｇ  通気孔、２０ｈ、２０ｉ  側壁、２１  ノイズフィルタ、２２  ＡＣ−ＤＣコンバータ、２３  電源回路、２４  室外機コントローラ、２５  圧縮機駆動回路、２５ａ  圧縮機用インバータ、２５ｂ  ＩＰＭ駆動回路、２６  送風機駆動回路、２６ａ  送風機用インバータ、２６ｂ  ＩＰＭ駆動回路、２７  高調波抑制手段、２８  温度検知手段、１００  室外機、２００  室内機、３００  空気調和機、Ａ  第１区画部、Ｂ  第２区画部。
【図１】
2020100273.tif 000003
【図２】
2020100273.tif 000004
【図３】
2020100273.tif 000005
【図４】
2020100273.tif 000006
【図５】
2020100273.tif 000007
【図６】
2020100273.tif 000008
【図７】
2020100273.tif 000009
【図８】
2020100273.tif 000010
【図９】
2020100273.tif 000011
【図１０】
2020100273.tif 000012
【国際調査報告】
2020100273.tif 000013
2020100273.tif 000014
2020100273.tif 000015
2020100273.tif 000016